(57)【要約】【課題】  比較的固い材料からなる口保護板と、該口保護板の内側から突出する比較的軟らかい材料からなるおしゃぶりニップルと、比較的固い材料からなり、該おしゃぶりニップルに連結され、かつその長手方向に延伸する該口保護板に連結された安全糸とを備える鎮静用おしゃぶりであって、安全糸の第１の部分が、おしゃぶりニップルの想定された矢状中心面から切り分けられたおしゃぶりニップルの領域の間隔で延伸することを特徴とする鎮静用おしゃぶり。【選択図】図１
2009537188.tif 000002
【特許請求の範囲】
【請求項１】
比較的固い材料からなる口保護板と、該口保護板の内側から突出する比較的軟らかい材料からなるおしゃぶりニップルと、比較的固い材料からなり、該おしゃぶりニップルに連結され、かつその長手方向に延伸する該口保護板に連結された安全糸とを備える鎮静用おしゃぶりであって、
安全糸の第１の部分が、おしゃぶりニップルの想定された矢状中心面から切り分けられたおしゃぶりニップルの領域の間隔で延伸することを特徴とする鎮静用おしゃぶり。
【請求項２】
安全糸の第１の部分がおしゃぶりニップルの矢状中心面の間隔で延伸することを特徴とする請求項１記載の鎮静用おしゃぶり。
【請求項３】
安全糸が両端で口保護板に連結されており、かつ安全糸の第２の部分が第１の部分に対して左右方向へ離間していることを特徴とする請求項１または２記載の鎮静用おしゃぶり。
【請求項４】
安全糸の第１および第２の部分が、それらの間隔が左右方向で最大になるようにおしゃぶりニップルの内部に配置されていることを特徴とする請求項１ないし３のいずれか１項に記載の鎮静用おしゃぶり。
【請求項５】
安全糸の第１および第２の部分が鎮静用おしゃぶりの矢状中心面と対称的に配置されていることを特徴とする請求項１ないし４のいずれか１項に記載の鎮静用おしゃぶり。
【請求項６】
安全糸の第１および／または第２の部分が口保護板の近傍に配置されており、その結果、該部分が利用者の歯列の領域にあることを特徴とする請求項１ないし５のいずれか１項に記載の鎮静用おしゃぶり。
【請求項７】
安全糸が近似的に横方向の面内に延伸することを特徴とする請求項１ないし６のいずれか１項に記載の鎮静用おしゃぶり。
【請求項８】
安全糸が口保護板から離れたおしゃぶりニップルの端部で方向転換されていることを特徴とする請求項１ないし７のいずれか１項に記載の鎮静用おしゃぶり。
【請求項９】
おしゃぶりニップルが中空であることを特徴とする請求項１ないし８のいずれか１項に記載の鎮静用おしゃぶり。
【請求項１０】
おしゃぶりニップルが口保護板に対向する側に開口部を有することを特徴とする請求項９記載の鎮静用おしゃぶり。
【請求項１１】
おしゃぶりニップルが円周側に突出する周縁部分を介して口保護板と連結されていることを特徴とする請求項１ないし１０のいずれか１項に記載の鎮静用おしゃぶり。
【請求項１２】
安全糸が利用者の歯列の領域および／またはおしゃぶりニップルの尖端部の領域でおしゃぶりニップルに連結されていることを特徴とする請求項１ないし１１のいずれか１項に記載の鎮静用おしゃぶり。
【請求項１３】
安全糸がおしゃぶりニップルの内壁の中へ埋め込まれていることを特徴とする請求項１ないし１２のいずれか１項に記載の鎮静用おしゃぶり。
【請求項１４】
おしゃぶりニップルが利用者に対向する側で安全糸を覆うことを特徴とする請求項１ないし１３のいずれか１項に記載の鎮静用おしゃぶり。
【請求項１５】
比較的固い材料が熱可塑性樹脂であることを特徴とする請求項１ないし１４のいずれか１項に記載の鎮静用おしゃぶり。
【請求項１６】
比較的固い材料が熱可塑性エラストマーであることを特徴とする請求項１ないし１４のいずれか１項に記載の鎮静用おしゃぶり。
【請求項１７】
比較的軟らかい材料が熱可塑性エラストマーであることを特徴とする請求項１ないし１６のいずれか１項に記載の鎮静用おしゃぶり。
【請求項１８】
おしゃぶりニップルが安全糸および／または口保護板と共に架橋されていることを特徴とする請求項１６または１７のいずれか１項に記載の鎮静用おしゃぶり。
【請求項１９】
比較的軟らかい材料が比較的固い材料と同じベースポリマーを含むことを特徴とする請求項１６ないし１８のいずれか１項に記載の鎮静用おしゃぶり。
【請求項２０】
比較的固い材料からなる口保護板と、該口保護板の内側から突出する比較的軟らかい材料からなるおしゃぶりニップルと、該口保護板に配置されたグリップ部とを備える鎮静用おしゃぶりであって、
グリップ部が比較的固い材料からなる２つの取っ手を有し、それらの端部が口保護板に連結されていることを特徴とする特に請求項１ないし１９のいずれか１項に記載の鎮静用おしゃぶり。
【請求項２１】
取っ手がその口保護板との連結点の近傍で軸周りに旋回されており、かつその中心部分で互いに連結されていることを特徴とする請求項２０記載の鎮静用おしゃぶり。
【請求項２２】
取っ手がその中心部分で互いに溶接されていることを特徴とする請求項２１または２２に記載の鎮静用おしゃぶり。
【請求項２３】
取っ手の中心部分がその互いに対向する側にリブを設けていることを特徴とする請求項２０ないし２２のいずれか１項に記載の鎮静用おしゃぶり。
【請求項２４】
両方の取っ手が互いに離間した第１の位置で口保護板と一体に射出成形され、それに続きその口保護板との連結点の近傍で軸周りの取っ手の旋回によって集結され、かつ互いに溶接されることを特徴とする請求項２０記載の鎮静用おしゃぶりの製造方法。
【発明の詳細な説明】
【技術分野】
【０００１】
本発明は、口保護板と、それに固定されたおしゃぶりニップルと、該口保護板および該おしゃぶりニップルに連結された安全糸とを備える鎮静用おしゃぶりに関する。
【背景技術】
【０００２】
実用的に比較的軟らかいおしゃぶりニップルよりも固い材料からなるおしゃぶりニップルを安全糸を通した強い吸込みまたは噛み切りによる分離から保護することが知られている。
【０００３】
この種の鎮静用おしゃぶりは、たとえばドイツ特許公報ＤＥ４２２９２２４Ｃ２から公知である。この公知のおしゃぶりの場合、口保護板およびおしゃぶりニップルは熱可塑性エラストマーからなり、かつ互いに架橋されている。安全ストリップは口保護板と同じ材料から製造され、両端で口保護板に連結され、かつおしゃぶりニップル周りに循環してその長手方向に案内されている。
【発明の開示】
【発明が解決しようとする課題】
【０００４】
上記を前提として本発明の課題は、より安全な利用を可能にする鎮静用おしゃぶりを提供することである。
【課題を解決するための手段】
【０００５】
この課題は請求項１、請求項２０の特徴と、請求項２４記載の鎮静用おしゃぶりの製造方法とによって解決される。本発明の有利な実施態様は従属請求項に記載されている。
【０００６】
請求項１により、本発明に係る鎮静用おしゃぶりは、比較的固い材料からなる口保護板と、該口保護板の内側から突出する比較的軟らかい材料からなるおしゃぶりニップルと、比較的固い材料からなり、おしゃぶりニップルに連結され、かつその長手方向に延伸する該口保護板に連結された安全糸とを有する。安全糸の第１の部分は、おしゃぶりニップルの想定された矢状中心面から切り分けられたおしゃぶりニップルの領域の間隔で延伸する。
【０００７】
矢状、横方向または右および左のような方向を表す概念は、ここでおよび以下において本発明に係る鎮静用おしゃぶりを口中に有する利用者の頭部に関係する。
【０００８】
本発明は、より固い材料からなる安全糸の使用によって達成可能なおしゃぶりニップルの噛み切りからの保護がまだ改善する余地があるという認識に基づいている。特に安全糸の配置は歯に対して特別の役割を果たしている。おしゃぶりニップルの想定された矢状中心面に沿った安全糸の公知の配置において、前記口保護板に連結された安全ストリップの両方の端部区間は乳児または小児の歯もしくは歯列を基準に特に危険にさらされた箇所にある。それによって集中的な噛み付き時に口保護板に連結された一方または両方の安全糸の部分の完全な分離を生じ得る。
【０００９】
本発明において噛み切りの危険は、安全糸の部分が特に危険にさらされたおしゃぶりニップルの領域の間隔を有することによって防止される。この特に危険にさらされた領域は歯の解剖学的配列に基づき特におしゃぶりニップルの中心に、より正確には、利用者の切歯が特に前記領域で最初におしゃぶりニップルに当たるため、おしゃぶりニップルの想定された矢状中心面から切り分けられるおしゃぶりニップルの領域にある。これは乳児の場合、通常初めに生え出る（６〜７か月）両方の下部切歯に対しても、両方の上部切歯（８〜１０か月）に対しても当てはまる。本発明により維持される前記領域との間隔は任意の方向に付与することができ、中空のおしゃぶりニップルの場合、安全糸はたとえばおしゃぶりニップルの縦軸に沿って案内することができる。この間隔はそれによって少なくとも安全糸の上側および下側にあるおしゃぶりニップルの内壁によって保護されている。前記内壁が鎮静用おしゃぶりの使用によって損傷した場合、これは通常世話人によって知られ、安全糸が継続的な噛み付き運動によって分離される前に鎮静用おしゃぶりを交換することができる。
【００１０】
好ましい実施態様に従って、安全糸の第１の部分はおしゃぶりニップルの矢状中心面の間隔で延伸する。それによって安全糸はおしゃぶりニップルの中心面および縦軸の側面間隔を有する。
【００１１】
本発明のもう１つの実施態様において、安全糸は両端で口保護板に連結されており、かつ安全糸の第２の部分は第１の部分に対して左右方向へ離間している。それによって、安全糸の第２の部分でおしゃぶりニップルと口保護板との間の連結が構築され、かつ左右方向で異なる位置にあることが達成される。従って、おしゃぶりニップルを口保護板から分離できるようにするため、安全糸の部分は利用者の歯列を基準にして異なる位置で噛み切る必要がある。それによって安全糸の両方の部分の同時噛み切りの可能性は本質的に低減される。
【００１２】
本発明の好ましい実施態様において、安全糸の第１および第２の部分は、それらの間隔が左右方向で最大になるようにおしゃぶりニップルの内部に配置されている。安全糸の両方の部分間の特に大きい間隔によって同時完全分離の危険がさらに低減される。
【００１３】
本発明の好ましい実施態様に従って、安全糸の第１および第２の部分は鎮静用おしゃぶりの矢状中心面と対称的に配置されている。対称的な配置は製造時の長所を提供し、かつ均一なおしゃぶりニップルの変形性を保証する。
【００１４】
本発明のもう１つの実施態様において、安全糸の第１および／または第２の部分は口保護板の近傍に配置されており、その結果、該部分は利用者の歯列の領域にある。この場合、本発明により離間された安全糸の部分は標定して利用者の歯列の領域に、すなわちおしゃぶりニップルの長手方向を基準にして一定の位置に配置されている。
【００１５】
本発明のもう１つの実施態様において、安全糸は近似的に横方向の面内に延伸する。これはおしゃぶりニップルの屈撓性を有利にする。おしゃぶりニップルの歯列矯正形態において、安全糸は最大断面幅の領域と共に近似的にのみ横方向の面内に延伸する。またそれによって最大限の柔軟性が得られた状態になる。
【００１６】
本発明のもう１つの実施態様に従って、安全糸は口保護板から離れたおしゃぶりニップルの端部で方向転換されている。それによって安全糸は口保護板の両端に固定されたチューブを形成する。
【００１７】
本発明のもう１つの好ましい実施態様において、おしゃぶりニップルは中空である。それによっておしゃぶりニップルの弾性特性が改善される。
【００１８】
口保護板に対向する側で引き続き設けられたおしゃぶりニップルの開口部を通して、おしゃぶりニップルの中にある空気をおしゃぶりニップルの圧縮により逃がすことができる。
【００１９】
本発明のもう１つの実施態様に従って、おしゃぶりニップルは円周側に突出する周縁部分を介して口保護板に連結されている。おしゃぶりニップルの形状付与によって口保護板との確実な連結が促進される。さらに鎮静用おしゃぶりはそれによっておしゃぶりニップルと口保護板との間の連結領域で特に軟らかく、これが着用快適性を高める。
【００２０】
本発明のもう１つの好ましい実施態様において、安全糸は利用者の歯列の領域および／またはおしゃぶりニップルの尖端部の領域でおしゃぶりニップルに連結されている。おしゃぶりニップルが中空であり、かつ歯列の領域で安全糸に連結されている限り、安全糸はおしゃぶりニップルの内壁に沿って利用者の歯列の領域で延伸する。安全糸の一定の長さにわたって延伸する領域でのおしゃぶりニップルと安全糸の連結によって、おしゃぶりニップルはその内壁の損傷時でも良好にその形状を維持する。それに対して、主におしゃぶりニップルの尖端部での連結はおしゃぶりニップルの可撓性を促進する。
【００２１】
さらに好ましくは、おしゃぶりニップルの内壁の中への安全糸の埋め込みが達成される。それによって特に確実な連結が達成される。
【００２２】
もう１つの実施態様に従って、おしゃぶりニップルは利用者に対向する側で安全糸を覆う。それによって、おしゃぶりニップルの外側は完全におしゃぶりニップルの比較的軟らかい材料によって形成される。均一な軟らかい表面によって着用快適性が高められる。
【００２３】
本発明のもう１つの好ましい実施態様に従って、比較的固い材料は熱可塑性樹脂である。同様に好ましくは、比較的固い材料は熱可塑性エラストマーである。両方の材料は口保護板および安全糸の製造のために好ましく適用される射出成形法に好適である。熱可塑性エラストマーを使用する場合、材料組成は周囲温度で比較的固い材料が生じるように選択される。
【００２４】
もう１つの好ましい実施態様に従って、比較的軟らかい材料は熱可塑性エラストマーである。基本的におしゃぶりニップルに対してその他の、たとえば天然ゴムまたはシリコーンの弾性材料も好適である。熱可塑性エラストマーはゴム弾性的に変形可能の分子領域を有する多相樹脂であり、溶融可能のアモルファス熱可塑性樹脂の領域に組み込まれている。従って、これらの樹脂は熱可塑性に変形可能であり、かつ同時に所望の弾性特性を有する。特に、該熱可塑性樹脂は射出成形法にもよく用いられている。これは事情に応じて製造の著しい負担軽減を意味する。
【００２５】
本発明のもう１つの好ましい実施態様において、おしゃぶりニップルは安全糸および／または口保護板と共に架橋されている。それによって両方の異なる材料の特に密な連結が達成される。基本的に前記連結は別の方法でも、たとえば接着によって達成することもできる。しかしながら、架橋は特に簡単かつ安全な接合技術である。それぞれの材料の選択に応じて、これは特に化学的架橋または、いわゆる「物理的架橋」としてよい。後者の場合、分子鎖は化学的に互いに架橋されず、単に互いの中へからみ合わされている。
【００２６】
本発明のもう１つの好ましい実施態様に従って、比較的軟らかい材料は比較的固い材料と同じベースポリマーを含む。そこから、両方の材料の接合性および架橋性に関する長所が生じる。
【００２７】
請求項２０に従って本発明に係る鎮静用おしゃぶりは比較的固い材料からなる口保護板と、該口保護板の内側から突出する比較的軟らかい材料からなるおしゃぶりニップルと、該口保護板に配置されたグリップ部とを有する。このグリップ部は比較的固い材料からなる２つの取っ手を有し、それらの端部は口保護板に連結されている。この本発明による鎮静用おしゃぶりは基本的に前記特徴の各々と組み合わせることができる。
【００２８】
両方の取っ手は端部で口保護板に連結されており、かつ該口保護板と同一の比較的固い材料からなる。そのため該取っ手は、有利にただ１つの方法ステップで口保護板と共に射出成形することができる。それによって、グリップ部を有する鎮静用おしゃぶりの特に簡単な製造可能性が提供されている。
【００２９】
好ましい実施態様において、取っ手はその口保護板との連結点の近傍で軸周りに旋回されており、かつその中心部分で互いに連結されている。すなわち口保護板に成形された取っ手はその製造時に初めに第１の位置にあり、かつ該取っ手がその連結点の近傍で軸周りに旋回できるように成形されている。この旋回によって取っ手は第２の位置へ移動され、そこで両方の取っ手の中心部分が互いに接触する。前記位置で取っ手の両方の中心部分が互いに連結される。取っ手の第１の位置は、加工物を簡単に離型できるように選択することができる。口保護板で両方の取っ手の４連結点で支持されるグリップ部が生じる。
【００３０】
本発明の好ましい実施態様において、両方の取っ手の中心部分は互いに溶接されている。これは特に安定かつ簡単な連結である。別法として掛止連結を考慮してもよい。
【００３１】
本発明のもう１つの好ましい実施態様において、取っ手の中心部分はその互いに対向する側にリブを設けている。これらリブは両方の取っ手の嵌合正確な相互接合を容易にし、かつ連結工程、特に溶接を容易にすることができる。超音波溶接の場合は、好適なエネルギー方向付与装置を設けてもよい。
【００３２】
請求項２４記載の鎮静用おしゃぶりの本発明に係る製造方法において、両方の取っ手は互いに離間した第１の位置で口保護板と一体に射出成形され、それに続きその口保護板との連結点の近傍で軸周りの取っ手の旋回によって集結させ、かつ互いに溶接される。
【００３３】
以下、本発明は図に示した２つの実施例を利用してより詳しく説明する。
【発明を実施するための最良の形態】
【００３４】
図１に示した鎮静用おしゃぶりは、口保護板１０と、グリップ部を形成する２つの取っ手１４と、おしゃぶりニップル２０とからなる。
【００３５】
口保護板１０は本質的に凹面状であり、かつ口の外側の解剖学的構造に適合される。口保護板１０の外部輪郭は本質的に鼻の付け根の自由空間としての上周縁部で大きい半径を有する丸みを有する腎臓形である。２つの非常呼吸穴１２は口保護板１０の右側および左側に配置されている。口保護板１０の中心に近似的に楕円形の開口部２４があり、その周縁領域におしゃぶりニップル２０が口保護板１０に連結されている。
【００３６】
両方の取っ手１４はその両端部で口保護板１０の外側に連結されている。各取っ手１４は、両方の取っ手がまだ互いに連結されていない間は、ほぼ口保護板１０との両方の連結点１６を通して延伸する軸周りに旋回可能である。各取っ手の中心部分にリブ１８があり、該リブの領域で両方の取っ手１４は該両方の取っ手の旋回後に互いに突き合わせて当接させ、かつ溶接される。口保護板１０および両方の取っ手１４は比較的固い材料から、図示した例ではたとえばポリプロピレン（ＰＰ）のような熱可塑性樹脂からなる。
【００３７】
同様にその端部が右側および左側で口保護板１０の楕円形の開口部２４の周縁に移行する安全糸２２は比較的固い材料からなる。製造時に安全糸２２は口保護板および両方の取っ手１４と一緒に射出成形される。
【００３８】
おしゃぶりニップル２０は比較的軟らかい熱可塑性エラストマーからなる。図下に示したおしゃぶりニップル２０の端部は、鎮静用おしゃぶりの使用時に利用者の口腔内にあり、その反対の端部は開口部２４の直径まで楕円形の断面をもつ漏斗形状に拡大している。おしゃぶりニップルは内部が中空であり、かつ口保護板に対向する側に開口部を有し、この開口部を通して空気を中空空間から逃がすことができる。見えない口保護板１０の下側でおしゃぶりニップル２０の拡径端部が口保護板１０に連結されている。
【００３９】
安全糸２２は近似的に中空のおしゃぶりニップル２０の内壁に沿って横方向の面内で延伸する。鎮静用おしゃぶりのその他の全構成要素と同様に、鎮静用おしゃぶりの矢状中心面と対称的に安全糸２２も配置されている。その際に矢状中心面の右側および左側に配置された安全糸２２の部分は常におしゃぶりニップルの最大の可撓性および軟質性に対して可能な限り最大の間隔にある。
【００４０】
図１において、両方の取っ手１４は該取っ手を射出成形後に容易に離型できる互いに離間した位置にある。
【００４１】
図２の図示において、両方の取っ手１４はその第１の位置の方向に旋回され、その結果、該取っ手はその中心部分で互いに会合する。前記領域で該取っ手が互いに溶接されている。それによって、両方の取っ手の４端部によって確実に口保護板１０に固定されたただ１つのグリップ部が生じる。
【００４２】
図３の断面図示に、面取りされたおしゃぶりニップル２０の形状と、おしゃぶりニップル２０の内壁の中に埋め込まれ、かつその全長で図示した横方向の切断面で延伸する安全糸２２とが識別される。安全糸２２はその両端部で継目なしに口保護板１０の中へ移行する。口保護板１０の方向へ漏斗状に拡大されたおしゃぶりニップル２０は２８で口保護板１０に連結された円周側に突出する周縁部分を有する。矢状中心面３０を基準にして完全に安全糸２２の対称的配置が良く識別できる。歯列の領域でも、２６で矢状中心面３０の両側に配置された安全糸２２の部分が最大間隔を有する。
【００４３】
図４は、矢状中心面に沿った鎮静用おしゃぶりの部分断面を示す。解剖学的視点に従って実施されたおしゃぶりニップル２０の形状付与が良く識別できる。安全糸２２は図示の切断面の間隔で延伸するが、それにもかかわらずその横方向の面内の推移を描くために図面に記録されている。両方の取っ手１４はその集結した位置に示されている。さらに両方の取っ手１４は製造過程を描くために第１の位置３２で点線で示されている。前記位置３２は射出成形後の取っ手１４の位置に相当し、かつ加工物の離型を容易にする。それに続き取っ手１４はその口保護板１０との連結点１６で旋回される。
【００４４】
最後に、図５は本発明のもう１つの実施態様を透視図で示す。図示した実施例は、特に利用者から離れた口保護板１０の側で、いわゆるドーム３６が形成されていることによって、図１〜４の実施例から区別される。このドームは利用者から離れた側でカバーキャップ３４によって閉鎖される。前記キャップは近似的に円形の形状を有し、かつ特にグリップに好適である循環する狭隘部４０を有する。
【００４５】
選択により凹所を有するカバーキャップ３４も図示しない可動リングの固定のために使用してもよい。
【図面の簡単な説明】
【００４６】
【図１】利用者から離れた側の互いに旋回したグリップ取っ手を備えた鎮静用おしゃぶりの透視図である。
【図２】連結されたグリップ取っ手を有する図１からの鎮静用おしゃぶりの図１の正面図である。
【図３】横方向の面内の図１からの鎮静用おしゃぶりの断面図である。
【図４】矢状面内の図１からの鎮静用おしゃぶりの部分断面図である。
【図５】本発明による鎮静用おしゃぶりのもう１つの実施例の透視図である。
【図１】
2009537188.tif 000003
【図２】
2009537188.tif 000004
【図３】
2009537188.tif 000005
【図４】
2009537188.tif 000006
【図５】
2009537188.tif 000007
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
比較的固い材料からなる口保護板（１０）と、該口保護板（１０）の内側から突出する比較的軟らかい材料からなる中空のおしゃぶりニップル（２０）と、比較的固い材料からなり、該おしゃぶりニップル（２０）に連結され、かつその長手方向に延伸する該口保護板に連結された安全糸（２２）とを備える鎮静用おしゃぶりであって、
安全糸（２２）の第１の部分が、おしゃぶりニップル（２０）の想定された矢状中心面から切り分けられたおしゃぶりニップル（２０）の領域の間隔で延伸することを特徴とする鎮静用おしゃぶり。
【請求項２】
安全糸（２２）の第１の部分がおしゃぶりニップル（２０）の矢状中心面の間隔で延伸することを特徴とする請求項１記載の鎮静用おしゃぶり。
【請求項３】
安全糸（２２）が両端で口保護板（１０）に連結されており、かつ安全糸（２２）の第２の部分が第１の部分に対して左右方向へ離間していることを特徴とする請求項１または２記載の鎮静用おしゃぶり。
【請求項４】
安全糸（２２）の第１および第２の部分が、それらの間隔が左右方向で最大になるようにおしゃぶりニップル（２０）の内部に配置されていることを特徴とする請求項１ないし３のいずれか１項に記載の鎮静用おしゃぶり。
【請求項５】
安全糸（２２）の第１および第２の部分が鎮静用おしゃぶりの矢状中心面と対称的に配置されていることを特徴とする請求項１ないし４のいずれか１項に記載の鎮静用おしゃぶり。
【請求項６】
安全糸（２２）の第１および／または第２の部分が口保護板（１０）の近傍に配置されており、その結果、該部分が利用者の歯列の領域（２６）にあることを特徴とする請求項１ないし５のいずれか１項に記載の鎮静用おしゃぶり。
【請求項７】
安全糸（２２）が近似的に横方向の面内に延伸することを特徴とする請求項１ないし６のいずれか１項に記載の鎮静用おしゃぶり。
【請求項８】
安全糸（２２）が口保護板（１０）から離れたおしゃぶりニップル（２０）の端部で方向転換されていることを特徴とする請求項１ないし７のいずれか１項に記載の鎮静用おしゃぶり。
【請求項９】
おしゃぶりニップル（２０）が口保護板（１０）に対向する側に開口部を有することを特徴とする請求項１ないし８のいずれか１項に記載の鎮静用おしゃぶり。
【請求項１０】
おしゃぶりニップル（２０）が円周側に突出する周縁部分を介して口保護板（１０）と連結されていることを特徴とする請求項１ないし９のいずれか１項に記載の鎮静用おしゃぶり。
【請求項１１】
安全糸（２２）が利用者の歯列の領域（２６）および／またはおしゃぶりニップル（２０）の尖端部の領域でおしゃぶりニップル（２０）に連結されていることを特徴とする請求項１ないし１０のいずれか１項に記載の鎮静用おしゃぶり。
【請求項１２】
安全糸（２２）がおしゃぶりニップル（２０）の内壁の中へ埋め込まれていることを特徴とする請求項１ないし１１のいずれか１項に記載の鎮静用おしゃぶり。
【請求項１３】
おしゃぶりニップル（２０）が利用者に対向する側で安全糸（２２）を覆うことを特徴とする請求項１ないし１２のいずれか１項に記載の鎮静用おしゃぶり。
【請求項１４】
比較的固い材料が熱可塑性樹脂であることを特徴とする請求項１ないし１３のいずれか１項に記載の鎮静用おしゃぶり。
【請求項１５】
比較的固い材料が熱可塑性エラストマーであることを特徴とする請求項１ないし１３のいずれか１項に記載の鎮静用おしゃぶり。
【請求項１６】
比較的軟らかい材料が熱可塑性エラストマーであることを特徴とする請求項１ないし１５のいずれか１項に記載の鎮静用おしゃぶり。
【請求項１７】
おしゃぶりニップル（２０）が安全糸（２２）および／または口保護板（１０）と共に架橋されていることを特徴とする請求項１５または１６のいずれか１項に記載の鎮静用おしゃぶり。
【請求項１８】
比較的軟らかい材料が比較的固い材料と同じベースポリマーを含むことを特徴とする請求項１５ないし１７のいずれか１項に記載の鎮静用おしゃぶり。
【請求項１９】
比較的固い材料からなる口保護板（１０）と、該口保護板（１０）の内側から突出する比較的軟らかい材料からなるおしゃぶりニップルと、該口保護板（１０）に配置されたグリップ部とを備える鎮静用おしゃぶりであって、
グリップ部が比較的固い材料からなる２つの取っ手（１４）を有し、それらの端部が口保護板（１０）の外側に連結されていることを特徴とする特に請求項１ないし１８のいずれか１項に記載の鎮静用おしゃぶり。
【請求項２０】
取っ手（１４）がその口保護板（１０）との連結点（１６）の近傍で軸周りに旋回されており、かつその中心部分で互いに連結されていることを特徴とする請求項１９記載の鎮静用おしゃぶり。
【請求項２１】
取っ手（１４）がその中心部分で互いに溶接されていることを特徴とする請求項１９または２０に記載の鎮静用おしゃぶり。
【請求項２２】
取っ手（１４）の中心部分がその互いに対向する側にリブ（１８）を設けていることを特徴とする請求項１９ないし２１のいずれか１項に記載の鎮静用おしゃぶり。
【請求項２３】
両方の取っ手（１４）が互いに離間した第１の位置で口保護板（１０）と一体に射出成形され、それに続きその口保護板（１０）との連結点（１６）の近傍で軸周りの取っ手（１４）の旋回によって集結され、かつ互いに溶接されることを特徴とする請求項１９記載の鎮静用おしゃぶりの製造方法。
【国際調査報告】
2009537188.tif 000008
2009537188.tif 000009
2009537188.tif 000010
2009537188.tif 000011
2009537188.tif 000012
2009537188.tif 000013
2009537188.tif 000014
2009537188.tif 000015
2009537188.tif 000016
2009537188.tif 000017